(57)【要約】【課題】胸部から腹部を覆う部分と腹部から下を覆う部分との２つの部分からなるエプロンであって、上着の裾を折り曲げずに着用できるものを提供すること。【解決手段】胸部から腹部を覆う第１部分１０と、腹部から下を覆う第２部分２０と、第１部分と第２部分とを結合する結合部材３１ａ，３１ｂ，３２ａ，３２ｂとを備え、結合部材は腰部よりも下方に離間する点を結合するエプロンを提供する。結合部材によって上着４０の裾が持ち上げられてしまうことがなく、上着の裾を折り曲げずに着用できる。【選択図】図４
2018178317.tif 000002
【特許請求の範囲】
【請求項１】
人体の前面を覆うエプロンであって、
胸部から腹部を覆う第１部分と、
腹部から下を覆う第２部分と、
前記第１及び第２部分を結合する結合部材と、
を備え、
前記第２部分は、腰部に周回する第２周回部を有し、
前記結合部材は、前記第１部分の下端又は下端近傍の第１結合箇所と前記第２部分の第２周回部から下方に離間する第２結合箇所とを結合することを特徴とする、エプロン。
【請求項２】
前記第１部分は、頸部に周回する第１周回部を有することを特徴とする、請求項１に記載のエプロン。
【請求項３】
前記第１部分の下端から上方に離間する第３結合箇所と、前記第２部分の上端から下方に離間するとともに前記第１部分の横幅を超えて周方向に位置する第４結合箇所と、を結合する紐部材をさらに備えることを特徴とする、請求項１又は２に記載のエプロン。
【発明の詳細な説明】
【技術分野】
【０００１】
本発明は、人体の前面を覆うエプロンに関する。
【背景技術】
【０００２】
調理、食事、作業、ガーデニング等において、衣服の汚れを防ぐためにエプロンを着用することがある。エプロンは、腰部に紐を巻いて垂下することで腹部から下、例えば膝までを覆う前掛のものと、首に紐を巻いて垂下することで胸部から膝までを覆う胸当付きのものとがある。胸当付きのエプロンは、直立した姿勢においては胸部から膝まで人体の前面全体を覆うが、着席した姿勢においては捲れて膝を露出することがある。直立した状態で使用することもあれば着席した状態で使用することもある場合には、いずれの状態においても胸部から膝まで人体の前面全体を覆うエプロンが必要である。
【０００３】
かかるエプロンとして、胸部から腹部を覆う胸当部と、腹部から下を覆う前掛部とを別々に備え、ボタン等の結合部材によって胸当部と前掛部とを結合するエプロンが知られていた。しかし、腰部（ウエストライン）にある前掛部の上端付近に結合部材が存在するため、上着を着用した上にエプロンを着用すると、上着の裾（下端）が結合部材によって係止されてしまい、下方に垂下しない。このため、上着の裾が折れ曲がり、しわができてしまうものであった。
【先行技術文献】
【特許文献】
【０００４】
【特許文献１】特開２０１５−０２８２２５号公報
【発明の概要】
【発明が解決しようとする課題】
【０００５】
本発明は、胸部から腹部を覆う部分と腹部から下を覆う部分との２つの部分からなるエプロンであって、上着の裾を折り曲げずに着用できるものを提供することを課題とする。
【課題を解決するための手段】
【０００６】
本発明のエプロンは、
人体の前面を覆うエプロンであって、
胸部から腹部を覆う第１部分と、
腹部から下を覆う第２部分と、
前記第１及び第２部分を結合する結合部材と、
を備え、
前記第２部分は、腰部に周回する第２周回部を有し、
前記結合部材は、前記第１部分の下端又は下端近傍の第１結合箇所と前記第２部分の第２周回部から下方に離間する第２結合箇所とを結合することを特徴とする。
【０００７】
この特徴によれば、第２結合箇所が第２周回部（腰部）から下方に離間しているため、上着が第２周回部から下方に垂下する。上着の裾が結合部材によって係止されて上着の裾が折れ曲がり、しわができてしまうことがない。
【０００８】
本発明のエプロンは、
前記第１部分は、頸部に周回する第１周回部を有することを特徴とする。
【０００９】
この特徴によれば、第１周回部を頸部に掛けて第１部分を垂下することで、第１部分により胸部から腹部を覆うことができる。
【００１０】
本発明のエプロンは、
前記第１部分の下端から上方に離間する第３結合箇所と、前記第２部分の上端から下方に離間するとともに前記第１部分の横幅を超えて周方向に位置する第４結合箇所と、を結合する紐部材をさらに備えることを特徴とする。
【００１１】
この特徴によれば、第１部分の下端から上方に離間する第３結合箇所を、紐部材によって第４結合箇所に向けて引くことで、その位置を安定させることができる。
【発明の効果】
【００１２】
本発明によれば、胸部から腹部を覆う部分と腹部から下を覆う部分との２つの部分からなるエプロンであって、上着の裾を折り曲げずに着用できるものを提供することが可能となる。
【図面の簡単な説明】
【００１３】
【図１】図１は、エプロンの構成を示す図である。
【図２】図２は、前掛部を着用した状態を示す図である。
【図３】図３は、上着を着用した状態を示す図である。
【図４】図４は、胸当部を着用した状態を示す図である。
【図５】図５は、従来のエプロンにおいて胸当部を着用した状態を示す図である。
【発明を実施するための形態】
【００１４】
以下、本発明の一実施例について説明する。
【００１５】
（エプロンの構成）
図１に、エプロンの構成を示す。エプロンは、着衣の上から人体の胸部から下、一例として膝までの前面を覆うものであり、胸当部１０及び前掛部２０を備える。ここで、図１（Ａ）及び（Ｂ）は、それぞれ、エプロンの胸当部１０及び前掛部２０を示す。
【００１６】
（第１部分）
胸当部１０は、胸部から腹部を覆う第１部分の一例である。胸当部１０は、本体１１、首掛け紐１２、及び連結紐１３，１４を有する。
【００１７】
本体１１は、胸部から腹部を覆う胸当部１０の本体部分であり、例えば織布、不織布、紙、樹脂等を用いて等脚台形状に成形されている。本体１１は、その下方の約３分の１の部分に、同質の素材を用いて成形された等脚台形状のカバー１１ａが重ねられている。カバー１１ａは、左右の両辺と下辺とが本体１１に固定されて、内側にポケットを形成する。なお。カバー１１ａは、必ずしも設けなくともよい。本体１１の右上角部近傍にスナップボタンの雄部１２ｂが、本体１１の左下角部及び右下角部又はそれらの近傍の裏面にそれぞれスナップボタンの雌部（第１結合箇所）３１ａ，３２ａが固定されている。また、本体１１の左下角部及び右下角部から上方に離間する箇所に、スナップボタンの雌部（第３結合箇所）１３ａ，１４ａが固定されている。ここで、雌部１３ａ，１４ａは、本体１１の下端から上方に１０ｃｍ以上、例えば約１５ｃｍ離間し、胸当部１０を胸部に掛けた際に、腰部の高さ又はそれより上に位置する。
【００１８】
首掛け紐１２は、頸部に周回する第１周回部の一例であり、例えば本体１１と同一の素材を用いて紐状に成形されている。首掛け紐１２の基端は本体１１の左上角部の近傍に位置する孔を通って本体11の裏面で結ぶことで孔から抜け落ちないようにしている。首掛け紐１２の長さは結び位置で調整が可能で、着用者の身長に合わせることができる。先端にはスナップボタンの雌部１２ａが固定されている。雌部１２ａは、本体１１の雄部１２ｂに着脱可能に固定することができる。首掛け紐１２を頸部に周回し、先端の雌部１２ａを本体１１の雄部１２ｂに留めることで、首掛け紐１２を頸部に掛け、本体１１を胸部から下方に垂下して胸部から腹部を覆うことができる。なお、首掛け紐１２を設けない設計も可能である。例えば、肩から腋下又は背中にかけて紐等を回しこんで本体１１を掛けることもできる。
【００１９】
連結紐１３，１４は、前掛部２０を胸当部１０に連結する紐部材の一例であり、例えば本体１１と同一の素材を用いて長さ約２０ｃｍの紐状に成形されている。連結紐１３の基端は、スナップボタンの雄部を有し、本体１１の左下角部から上方に離間する雌部１３ａに固定され、先端にはスナップボタンの雌部３３ａが固定されている。同様に、連結紐１４の基端は本体１１の右下角部から上方に離間する雌部１４ａに固定され、先端にはスナップボタンの雌部３４ａが固定されている。
【００２０】
雌部３３ａ，３４ａをそれぞれ後述する前掛部２０の雄部３３ｂ，３４ｂに着脱可能に固定して、連結紐１３，１４をそれぞれ胸当部１０の結合箇所１３ａ，１４ａと前掛部２０の雄部３３ｂ，３４ｂとの間に架けることで、連結紐１３，１４により胸当部１０の結合箇所１３ａ，１４ａと前掛部２０の雄部３３ｂ，３４ｂとを結合することができる。
【００２１】
（第２部分）
前掛部２０は、腹部から下を覆う第２部分の一例である。前掛部２０は、本体２１及び結び紐２２を有する。
【００２２】
本体２１は、腹部から下、例えば膝までを覆う前掛部２０の本体であり、例えば胸当部１０と同一の素材を用いて等脚台形状に成形されている。本体２１の上端から下方に例えば１０ｃｍ以上離間し、胸当部１０の本体１１の下端の横幅に等しい距離だけ左右に離間する２つの位置にそれぞれスナップボンタンの雄部３１ｂ，３２ｂが、さらに本体１１の下端の横幅を超えて周方向に離間する２つの位置にそれぞれスナップボンタンの雄部３３ｂ，３４ｂが固定されている。なお、雄部３３ｂ，３４ｂは、雄部３１ｂ，３２ｂと同じ高さ又はそれよりも下方に位置してよい。雄部３１ｂ，３２ｂにそれぞれ胸当部１０の雌部３１ａ，３２ａを着脱可能に固定することができる。また、雄部３３ｂ，３４ｂにそれぞれ連結紐１３，１４の雌部３３ａ，３４ａを着脱可能に固定することができる。それにより、胸当部１０を前掛部２０に結合することができる。
【００２３】
結び紐２２は、腰部に周回する第２周回部の一例であり、本体２１と同一の素材を用いて例えば約１５０ｃｍの紐状に成形されている。結び紐２２は、両端を左右に延ばして、本体２１の上端に固定されている。結び紐２２を腰部に周回して背面側で結び、本体２１を腹部から垂下することで、本体２１により腹部から下を覆うことができる。なお、結び紐２２を設けずに、本体２１を背面に延伸して腰部に周回するようにし、スナップボタン等で左右を結合しても第２周回部を構成することができる。
【００２４】
（着用方法）
エプロンの着用方法について説明する。
【００２５】
（前掛部の着用）
まず、前掛部２０を着用する。図２に前掛部２０を着用した状態を示す。ここで、図２（Ａ）及び（Ｂ）はそれぞれ人体の正面側及び背面側の状態を示す。まず、結び紐２２を腰部に周回して背面側で結び、本体２１を腹部から腰部に巻いて垂下する。それにより、本体２１により腹部から下、例えば膝までの前面を覆う。このとき、雄部３１ｂ，３２ｂは正面側、雄部３３ｂ，３４ｂは背面側に位置する。
【００２６】
（上着の着用）
次に、前掛部２０の上部に裾を降ろして上半身に上着４０を着用する。図３に上着４０を着用した状態を示す。ここで、図３（Ａ）及び（Ｂ）はそれぞれ人体の正面側及び背面側の状態を示す。上着４０は、結び紐２２（第２周回部）よりも下方にまで垂下している。
【００２７】
（胸当部の着用）
最後に、上着４０の上から胸当部１０を着用する。図４に胸当部１０を着用した状態を示す。ここで、図４（Ａ）及び（Ｂ）はそれぞれ人体の正面側及び背面側の状態を示す。首掛け紐１２を頸部に周回し、その先端の雌部１２ａを本体１１の雄部１２ｂに留めて首掛け紐１２を頸部に掛け、本体１１を胸部から下方に垂下して、本体１１により胸部から腹部を覆う。胸当部１０の雌部３１ａ，３２ａをそれぞれ前掛部２０の雄部３１ｂ，３２ｂに固定する。それにより、上着４０を着用した状態において、胸当部１０を前掛部２０に結合して、それらにより人体の胸部から膝までの前面を覆うことができる。
【００２８】
胸当部１０と前掛部２０とを結合するスナップボタン３１ａ，３１ｂ，３２ａ，３２ｂは、上着４０の下端よりも下方にある。上着４０は、スナップボタン３１ａ，３１ｂ，３２ａ，３２ｂによって上方に移動させられることがなく、胸当部の着用前と同位置にあることができる。上着４０の裾を折り曲げずに胸当部１０と前掛部２０とを着用することができる。
【００２９】
ここで、上着４０の裾の上下位置は、各々の上着によって相違する。多くの上着においてスナップボタン３１ａ，３１ｂ，３２ａ，３２ｂが上着４０の下端よりも下方にあるようにするため、スナップボタン３１ａ，３１ｂ，３２ａ，３２ｂの第２周回部から下方に離間する距離を１５ｃｍ以上とすることが好ましい。上着の丈が長い場合にも対応するため、２０ｃｍあるいは２５ｃｍの距離としてもよい。
【００３０】
（従来のエプロンの場合）
図５に、本実施例と同様に胸当部と前掛部とを結合する従来のエプロンにおいて、胸当部１０を着用した状態を示す。従来のエプロンでは、スナップボタン３１ａ，３１ｂ，３２ａ，３２ｂが、前掛部の上端付近、すなわち第２周回部とほぼ同じ高さにある。上着４０は、スナップボタン３１ａ，３１ｂ，３２ａ，３２ｂによって上方に移動させられる。スナップボタン３１ａ，３１ｂ，３２ａ，３２ｂの位置では裾が第２周回部の高さまで持ち上げられ、他の位置で図５（Ａ）及び（Ｂ）に示すように下方に張り出す。すなわち、上着の裾が折り曲げられ、しわがよってしまうこととなる。
【００３１】
（連結紐の使用）
本実施例のエプロンは、スナップボタン３１ａ，３１ｂ，３２ａ，３２ｂが第２周回部よりも下方にあるので、第２周回部（腰）の高さにおいて、胸当部１０が体から離れている可能性がある。特に、着席して使用をする場合に、これが気になることがある。
【００３２】
そこで、第２周回部（腰）の高さにおいて胸当部１０を体に密着させたい場合には、連結紐１３，１４を使用する。連結紐１３，１４の基端のスナップボタンの雄部を雌部１３ａ，１４ａに結合し、左右の脇腹を周回してそれぞれの先端の雌部３３ａ，３４ａを前掛部２０の雄部３３ｂ，３４ｂに結合する。これにより、雌部１３ａ，１４ａが後方（背面側）に引かれ、第２周回部（腰）の高さにおいて胸当部１０を体に密着させることができる。
【００３３】
以上詳細に説明したように、本実施例のエプロンは、胸当部１０と前掛部２０とが第２周回部（腰）よりも下方で結合され、結合部材（スナップボタン３１ａ，３１ｂ，３２ａ，３２ｂ）によって上着の裾が折り曲げられることがない。なお、結合部材は、スナップボタンでなくともよい。例えば面ファスナとすることができる。
【産業上の利用可能性】
【００３４】
胸部から腹部を覆う部分と腹部から下を覆う部分との２つの部分からなるエプロンであって、上着の裾を折り曲げずに着用できるものである。多くの個人による利用が考えられる。
【符号の説明】
【００３５】
１０    胸当部（第１部分）
１１    本体
１１ａ  カバー
１２    首掛け紐
１２    雌部Ａ
１２ｂ  雄部
１３    連結紐
１３ａ  雌部（第３結合箇所）
１４    連結紐
１４ａ  雌部（第３結合箇所）
２０    前掛部（第２部分）
２１    本体
２２    結び紐
３０    結合部
３１ａ  雌部（第１結合箇所）
３１ｂ  雄部（第２結合箇所）
３２ａ  雌部（第１結合箇所）
３２ｂ  雄部（第２結合箇所）
３３ａ  雌部（第４結合箇所）
３３ｂ  雄部（第４結合箇所）
３４ａ  雌部（第４結合箇所）
３４ｂ  雄部（第４結合箇所）
４０    上着
【図１】
2018178317.tif 000003
【図２】
2018178317.tif 000004
【図３】
2018178317.tif 000005
【図４】
2018178317.tif 000006
【図５】
2018178317.tif 000007